【手続補正書】
【提出日】令和1年6月12日(2019.6.12)
【手続補正１】
【補正対象書類名】特許請求の範囲
【補正対象項目名】全文
【補正方法】変更
【補正の内容】
【特許請求の範囲】
【請求項１】
取り付けブラケットアセンブリであって、
第１の取り付け可能なブラケット部品および第２の取り付け可能なブラケット部品を含む取り付けブラケットであって、前記それぞれの取り付け可能なブラケット部品は、上部メンバおよび前記上部メンバに連結されている下部メンバを有し、前記取り付けブラケットは、前記上部メンバと前記下部メンバとの間にビーム挿入開口部を形成している、取り付けブラケットと、
第１の締結部品によって前記第１の取り付け可能なブラケット部品の前記上部メンバに取り付けられている、第１のクランプと、
第２の締結部品によって前記第２の取り付け可能なブラケット部品の前記上部メンバに取り付けられている、第２のクランプと、
前記第１の取り付け可能なブラケット部品の前記下部メンバを、前記第２の取り付け可能なブラケット部品の前記下部メンバに固定する、第３の締結部品とを備える、
取り付けブラケットアセンブリ。
【請求項２】
前記第１の取り付け可能なブラケット部品の前記上部メンバに隣接して、または前記第２の取り付け可能なブラケット部品の前記上部メンバに隣接して配置されている第１の一体接地装置をさらに備え、前記第１の一体接地装置は発電装置のフレームを前記取り付けブラケットアセンブリに電気的に接続するように構成されている、請求項１に記載の取り付けブラケットアセンブリ。
【請求項３】
前記第１の一体接地装置は、前記第１の取り付け可能なブラケット部品の前記上部メンバの端部、または前記第２の取り付け可能なブラケット部品の前記上部メンバの端部に取り付けられた接地片である、請求項２に記載の取り付けブラケットアセンブリ。
【請求項４】
前記第１の締結部品または前記第２の締結部品は、クランプナットを回転すると、前記第１の取り付け可能なブラケット部品または前記第２の取り付け可能なブラケット部品の前記上部メンバの前記端部を押し込み、それによって前記接地片を押し込み、前記発電装置を電気的に接地するような前記クランプナットを含む、請求項３に記載の取り付けブラケットアセンブリ。
【請求項５】
前記取り付けブラケットは、耐食処理されている、請求項２に記載の取り付けブラケットアセンブリ。
【請求項６】
前記取り付けブラケットは、陽極酸化処理されている、請求項５に記載の取り付けブラケットアセンブリ。
【請求項７】
前記取り付けブラケットに配置された、少なくとも第２の一体接地装置をさらに備える、請求項５に記載の取り付けブラケットアセンブリ。
【請求項８】
前記取り付けブラケットに配置された第３の一体接地装置をさらに備え、前記第３の一体接地装置は前記取り付けブラケットアセンブリをトーションビームに電気的に接続するように構成されている、請求項７に記載の取り付けブラケットアセンブリ。
【請求項９】
前記第１の一体接地装置は、両面である、請求項６に記載の取り付けブラケットアセンブリ。
【請求項１０】
前記ビーム挿入開口部は、八角形の形状を有する、請求項１に記載の取り付けブラケットアセンブリ。
【請求項１１】
取り付けアセンブリであって、
少なくとも一つの支持柱と、
前記支持柱に連結されているトーションビームと、
前記トーションビームに取り付けられている、取り付けラックと、
前記取り付けラックを前記トーションビームに取り付けている取り付けブラケットアセンブリであって、
第１の取り付け可能なブラケット部品および第２の取り付け可能なブラケット部品を含む取り付けブラケットであって、前記それぞれの取り付け可能なブラケット部品は、上部メンバおよび前記上部メンバに連結されている下部メンバを有し、前記取り付けブラケットは、前記上部メンバと前記下部メンバとの間にビーム挿入開口部を形成し、前記トーションビームは、前記ビーム挿入開口部に挿入されている、取り付けブラケットを含む、
取り付けブラケットアセンブリと、
第１の締結部品によって、前記第１の取り付け可能なブラケット部品の前記上部メンバに取り付けられている、第１のクランプと、
第２の締結部品によって、前記第２の取り付け可能なブラケット部品の前記上部メンバに取り付けられている、第２のクランプと、
前記第１の取り付け可能なブラケット部品の前記下部メンバを、前記第２の取り付け可能なブラケット部品の前記下部メンバに固定している、第３の締結部品とを備える、
取り付けアセンブリ。
【請求項１２】
前記第１の取り付け可能なブラケット部品の前記上部メンバの端部、または前記第２の取り付け可能なブラケット部品の前記上部メンバの端部に取り付けられた接地片をさらに備え、前記接地片は、発電装置のフレームを前記取り付けブラケットアセンブリに電気的に接続するように構成されている、請求項１１に記載の取り付けアセンブリ。
【請求項１３】
前記第１の締結部品または前記第２の締結部品は、クランプナットを回転すると、前記第１の取り付け可能なブラケット部品または前記第２の取り付け可能なブラケット部品の前記上部メンバの前記端部を押し込み、それによって前記接地片を押し込み、前記発電装置を電気的に接地するような前記クランプナットを含む、請求項１２に記載の取り付けアセンブリ。
【請求項１４】
前記発電装置は、太陽光発電モジュールである、請求項１２に記載の取り付けアセンブリ。
【請求項１５】
前記トーションビームは、八角形の断面を有し、前記ビーム挿入開口部は、対応する八角形の形状を有する、請求項１１に記載の取り付けアセンブリ。
【請求項１６】
前記第１のクランプと前記第２のクランプのそれぞれは、前記それぞれのクランプが形成された合わせ角度で各上部メンバと一致するような、前記上部メンバの角度を持った端に対応する角度を持った合わせ面を有する、請求項１１に記載の取り付けアセンブリ。
【請求項１７】
各上部メンバに関する前記第１のクランプまたは前記第２のクランプの前記形成された合わせ角度を変化させると、発電装置での前記取り付けブラケットアセンブリのグリップ力を変化させる、請求項１６に記載の取り付けアセンブリ。
【請求項１８】
各上部メンバに関する前記第１のクランプまたは前記第２のクランプの前記形成された合わせ角度を変化させると、発電装置での前記取り付けブラケットアセンブリのクランプ力を変化させる、請求項１６に記載の取り付けアセンブリ。
【請求項１９】
取り付けブラケットアセンブリであって、
少なくとも一つの上部メンバおよび前記上部メンバに連結されている下部メンバを含む取り付けブラケットであって、前記上部メンバと前記下部メンバとの間にビーム挿入開口部を形成している、取り付けブラケットと、
前記上部メンバに取り付けられている少なくとも一つのクランプであって、前記クランプが形成された合わせ角度で前記上部メンバと一致するような、前記上部メンバの角度を持った端に対応する角度を持った合わせ面を有する、少なくとも一つのクランプと、
前記クランプを前記取り付けブラケットに固定するねじ付き棒であって、前記少なくとも一つのクランプを貫通し、前記少なくとも一つの上部メンバと平行に通っている、ねじ付き棒と、
前記ねじ付き棒を前記クランプおよび前記取り付けブラケットに固定している、クランプナットとを備え、
前記クランプナットを回転させると、前記取り付けブラケットアセンブリをトーションビームに固定する、取り付けブラケットアセンブリ。
【請求項２０】
前記少なくとも一つの上部メンバの端部に取り付けられた接地片をさらに備える、請求項１９に記載の取り付けブラケットアセンブリ。
【手続補正２】
【補正対象書類名】明細書
【補正対象項目名】００３６
【補正方法】変更
【補正の内容】
【００３６】
典型的な実施形態において、取り付けブラケットアセンブリ１０の本体１２は、ツーピース構造を有し得る。図２０Ａ、図２０Ｂ、図２１Ａ、および図２１Ｂは、本体１２が二つの取り付け可能な本体部品１２ａ、１２ｂを備える実施形態を図示する。これは好適には、トーションビーム３への取り付けブラケットアセンブリ１０の取り付けを容易にする。本体部品は、図２０Ａおよび図２０Ｂで示されているような、合わせフランジ１５および溝１７を備えるスライド可能なロック構造１３によって結合され得る。その代わりとして、図２１Ａおよび図２１Ｂで示されているような、ヒンジピン２１を含むヒンジ連結１９が設けられてもよい。
【手続補正３】
【補正対象書類名】明細書
【補正対象項目名】００４４
【補正方法】変更
【補正の内容】
【００４４】
クランプナット３６は、好適には、ＰＶモジュールのような発電装置の取り付けおよび接地を容易にする。より具体的には、棒３２の内側へのクランプナット３６の回転は、上部メンバ１４ａ、上部メンバ１４ｂを押し込み、発電装置とトーションビームの接触または突き刺すことを通じて発電装置を固定し接地するように接地ブロック３０を移動させる。典型的な実施形態において、図１１Ａ、図１１Ｂ、図１１Ｄおよび図１２で図示されているように、クランプナット３６は、トルクの適正値で恒久的な取り付け構成部品３９を取り外すブレイクアウェイ構成部品３７を含んでもよい。
【手続補正４】
【補正対象書類名】明細書
【補正対象項目名】００６５
【補正方法】変更
【補正の内容】
【００６５】
腐食に耐えるために陽極酸化処理がされているとき、典型的な取り付けブラケットアセンブリは、図２８で示されているような二重接地装置を使用してもよい。その代わりに、または加えて、取り付けブラケットアセンブリ２１０は、少なくとも二つの一体接地装置２３０ａ、２３０ｂを含んでもよい。より具体的には、図２５Ｄで図示されているように、第２の接地片２３０ｂは、リング２４４に取り付けられてもよく、または取り付けブラケットの別の場所に配置されてもよい。第３の一体接地装置または接地片は、取り付けブラケットの別の場所に配置されてもよく、さらに接地装置が同様に設けられてもよい。
【手続補正５】
【補正対象書類名】明細書
【補正対象項目名】００７０
【補正方法】変更
【補正の内容】
【００７０】
典型的な実施形態は好適には、取り付けブラケットアセンブリの特定の構成部品の角度を調整することで、発電装置と取り付けシステムのクランプ力を適合するための構造を提供する。図６、図７、図２４Ａ、図２４Ｂ、図２５Ａ、図２５Ｂおよび図２６Ｂで最もよく示されているように、クランプ２２、１２２、２２２、３２２は、角度を持った合わせ面３８、１３８、２３８、３３８を有してもよく、上部メンバ１４、１１４ａ、１１４ｂ、２１４ａ、２１４ｂ、３１４ａ、３１４ｂの第１の端１８、１１８、２１８、３１８、および第２の端２０、１２０、２２０、３２０は、対応する角度を持った面４０、１４０、２４０、３４０をそれぞれ有してもよい。したがって、クランプ２２ａ、１２２ａ、２２２ａ、３２２ａは、角度を持った合わせ面３８、１３８、２３８、３３８が、上部メンバ１４、１１４ａ、２１４ａ、３１４ａの第１の端部１８、１１８、２１８、３１８の対応する角度を持った合わせ面４０、１４０、２４０、３４０に隣接するように、上部メンバ１４、１１４ａ、２１４ａ、３１４ａの第１の端１８、１１８、２１８、３１８と一致する。同様に、クランプ２２ｂ、１２２ｂ、２２２ｂ、３２２ｂは、角度を持った合わせ面３８、１３８、２３８、３３８が、上部メンバ１４、１１４ｂ、２１４ｂ、３１４ｂの第２の端２０、１２０、２２０、３２０の対応する角度を持った合わせ面４０、１４０、２４０、３４０に隣接するように、上部メンバ１４、１１４ｂ、２１４ｂ、３１４ｂの第２の端２０、１２０、２２０、３２０と一致する。
【手続補正６】
【補正対象書類名】明細書
【補正対象項目名】００７４
【補正方法】変更
【補正の内容】
【００７４】
稼働中、取り付けブラケットアセンブリ１０、１１０、２１０、３１０は、アセンブリの本体１２に形成されたトーションビーム３がビーム挿入開口部２８を貫通するようなソーラ取り付けシステム１のトーションビーム３に連結されている。この連結は、トーションビーム３をビーム挿入開口部２８に通してスライドすることで、または間隙４２がビーム挿入開口部２８のリング４４に形成されるように取り付けブラケットアセンブリの本体１２を開き、間隙４２を通じてトーションビーム３を開口部２８に押し込むことで達成され得る。典型的な実施形態において、接地ブロック３０はそして、第１の上部メンバ１４ａと第２の上部メンバ１４ｂと間に挿入される。
【手続補正７】
【補正対象書類名】明細書
【補正対象項目名】００７５
【補正方法】変更
【補正の内容】
【００７５】
一つ以上のクランプ２２は、全上部メンバ１４の一方または両方の端１８、端２０に取り付けられ、特に、第１のクランプ２２ａは、上部メンバ１４の第１の端１８に取り付けられ、第２のクランプ２２ｂは、上部メンバ１４の第２の端２０に取り付けられる。そして、ねじ付き棒３２は、第１のクランプ２２ａ、第１の上部メンバ１４ａ、接地ブロック３０、第２の上部メンバ１４ｂ、および第２のクランプ２２ｂを通じて挿入され、クランプナット３６で固定される。一つ以上のＰＶモジュール５は、取り付けラック４に取り付けられ、クランプ２２ａ、クランプ２２ｂのアーム２４およびフランジ２６は、ＰＶモジュールを所定の位置に保持するためにＰＶモジュールの上部または側部に取り付けられる。
【手続補正８】
【補正対象書類名】明細書
【補正対象項目名】００７６
【補正方法】変更
【補正の内容】
【００７６】
アセンブリされたＰＶ取り付けシステム１が取り付けブラケットアセンブリ１０を使用することで、システムはさらに、固定され得、ＰＶモジュール５は、上部メンバ１４を貫通しているねじ付き棒３２にクランプナット３６を締めることで接地され得る。より具体的には、クランプナット３６は、棒３２の内側へ回転され、取り付けブラケットアセンブリ１０を締め付ける。クランプナット３６の回転は、第１のクランプ２２ａを第１の上部メンバ１４ａに押し込み、第２の上部メンバ１４ｂと第２のクランプ２２ｂを圧迫する。この圧迫は、発電装置およびトーションビームに接触または突き刺すことを通じて発電装置を固定し、接地するように接地ブロック３０を動かす。好適には、製造業者は、全取り付けブラケットアセンブリ１０を圧迫する（同時にＰＶモジュール５を接地し、取り付ける）ために、ただ一つのステップ−クランプナット３６の回転−のみを必要とし得る。クランプナット３６は、接地ブロック３０が発電装置を固定し、接地するとき、および／または要求トルクに達したとき、取り外れてもよい。記載されているように一旦アセンブリされ、締め付けられると、取り付けブラケットアセンブリ１０の形状および／または摩擦が、回転を防ぐ。